(57)【要約】【課題】椅子の柱状支持部に変形や破損を生じせしめることなく、安全かつ容易に椅子を床に着脱可能に固定する構造を提供する。【解決手段】  椅子Ｃを床Ｆに固定する構造であって、床Ｆに固定されるフランジ部１１１、及びフランジ部１１１から上方に延在する中空の筒部１１２を有する基礎部材１１と、筒部１１２の外周に設けられた第１の環状部材１３と、第１の環状部材１３の外周に設けられた締結部材１３ａと、筒部１１２に挿入され、上部に椅子Ｃを載置する柱状支持部１２と、柱状支持部１２の外周に設けられ、締結部材１３ａが着脱可能に締結する被締結部１４ａを有する第２の環状部材１４と、を備える。【選択図】図１
2016106805.tif 000002
【特許請求の範囲】
【請求項１】
椅子を床に固定する構造であって、
前記床に固定されるフランジ部、及び前記フランジ部から上方に延在する中空の筒部を有する基礎部材と、
前記筒部の外周に設けられた第１の環状部材と、
前記第１の環状部材の外周に設けられた締結部材と、
前記筒部に挿入され、上部に前記椅子を載置する柱状支持部と、
前記柱状支持部の外周に設けられ、前記締結部材が着脱可能に締結する被締結部を有する第２の環状部材と、を備えることを特徴とする固定構造。
【請求項２】
前記第１の環状部材が、その外周であって前記締結部材と反対側かつ中央に寄った位置に設けられ、上方に向けて突出する突出部を有し、
前記第２の環状部材が、その外周であって前記被締結部と反対側の位置に設けられ、前記突出部が係合する切欠き部を有することを特徴とする請求項１に記載の固定構造。
【請求項３】
前記被締結部及び前記切欠き部が複数個設けられ、
第１の被締結部が前記締結部材によって締結されたとき、前記第１の被締結部の反対側の位置に設けられた第１の切欠き部が前記突出部によって係合されることを特徴とする請求項２に記載の固定構造。
【請求項４】
前記締結部材がパチン錠から構成されることを特徴とする請求項１ないし３のいずれか１項に記載の固定構造。
【請求項５】
前記フランジ部が前記基礎部材を前記床に固定するための取付部材を挿通させる複数の取付穴を有し、前記複数の取付穴が左右対称に配置されていることを特徴とする請求項１ないし４のいずれか１項に記載の固定構造。
【発明の詳細な説明】
【技術分野】
【０００１】
本発明は、椅子を床に着脱可能に固定する構造に関する。
【背景技術】
【０００２】
例えばパチンコ、パチスロ、ゲームなどの遊技場では、店内の模様替えを容易にしたり、老朽化した椅子を新しいものに交換したり、また、遊技者が車椅子利用者である場合に車椅子を進入させるために外したりすることを目的として、床に対して着脱可能に固定することのできる椅子が用いられることが多く、例えば特許文献１に記載された椅子の固定構造が提案されている。
【０００３】
特許文献１は、車椅子の座部から延びる柱状支持部を遊技場の床に着脱可能に固定することができるとともに、容易に椅子の着脱を行うことができ、かつ、安定した状態で椅子を床に固定することのできる椅子の固定構造として、床上に固定されるとともに、椅子の座部から下方に延びる柱状支持部が内挿される中空の基礎部材と、柱状支持部の外面を基礎部材の内面に対して圧接固定する固定部材であるカム部材（基礎部材の円筒部へ押し当て）や調整部材（基礎部材の円筒部を締め付け）を備える椅子の固定構造を開示している。
【０００４】
しかしながら、上述の固定構造では、椅子の柱状支持部を基礎部材の円筒部に固定部材で直接的に圧接させるものであることから、柱状支持部に変形が生じる可能性があり、許容される以上に又は頻繁に圧接を繰り返した場合には破損するおそれもあるという問題がある。
【先行技術文献】
【特許文献】
【０００５】
【特許文献１】特開２００８−１４９００２号公報
【発明の概要】
【発明が解決しようとする課題】
【０００６】
そこで、本発明は、以上のような事情に鑑みてなされたものであり、その目的は、椅子の柱状支持部に変形や破損を生じせしめることなく、安全かつ容易に椅子を床に着脱可能に固定する構造を提供することにある。
【課題を解決するための手段】
【０００７】
上記課題を解決するため、本発明は、以下のような解決手段を提供する。
【０００８】
（１）椅子を床に固定する構造であって、床に固定されるフランジ部、及びフランジ部から上方に延在する中空の筒部を有する基礎部材と、筒部の外周に設けられた第１の環状部材と、第１の環状部材の外周に設けられた締結部材と、筒部に挿入され、上部に椅子を載置する柱状支持部と、柱状支持部の外周に設けられ、締結部材が着脱可能に締結する被締結部を有する第２の環状部材と、を備えることを特徴とする固定構造である。
【０００９】
（２）上記（１）において、第１の環状部材が、その外周であって締結部材と反対側かつ中央に寄った位置に設けられ、上方に向けて突出する突出部を有し、第２の環状部材が、その外周であって被締結部と反対側の位置に設けられ、突出部が係合する切欠き部を有するようにしてもよい。
【００１０】
（３）上記（２）において、被締結部及び切欠き部が複数個設けられ、第１の被締結部が締結部材によって締結されたとき、第１の被締結部の反対側の位置に設けられた第１の切欠き部が突出部によって係合されるようにしてもよい。
【００１１】
（４）上記（１）ないし（３）のいずれかにおいて、締結部材がパチン錠から構成されてもよい。
【００１２】
（５）上記（１）ないし（４）のいずれかにおいて、フランジ部が基礎部材を床に固定するための取付部材を挿通させる複数の取付穴を有し、複数の取付穴が左右対称に配置されていてもよい。
【発明の効果】
【００１３】
本発明によれば、椅子の柱状支持部に変形や破損を生じせしめることなく、安全かつ容易に椅子を床に着脱可能に固定する構造を提供することができる。
【図面の簡単な説明】
【００１４】
【図１】本発明の実施形態に係る椅子の固定構造の斜視図である。
【図２】本発明の実施形態に係る椅子の固定構造の側面図である。
【図３】本発明の実施形態に係る椅子の固定構造の背面図である。
【図４】本発明の実施形態に係る椅子の固定構造のうち基礎部材及び第１の環状部材の拡大斜視図である。
【図５】本発明の実施形態に係る椅子の固定構造のうち柱状支持部及び第２の環状部材の斜視図である。
【図６】本発明の実施形態に係る椅子の固定構造を上からみたときの平面図である。
【図７】本発明の実施形態に係る椅子の固定構造の拡大断面図である。
【発明を実施するための形態】
【００１５】
以下、添付図面を参照して、本発明を実施するための形態（以下、実施形態という）について詳細に説明する。なお、実施形態の説明の全体を通して同じ要素には同じ番号を付している。
【００１６】
（実施形態）
図１ないし３に示すように、本実施形態に係る椅子Ｃの固定構造１０は、床Ｆに固定される基礎部材１１と、椅子Ｃを載置する柱状支持部１２とを備えており、基礎部材１１には第１の環状部材１３が、柱状支持部１２には第２の環状部材１４が、それぞれ設けられている。本実施形態では、柱状支持部１２が基礎部材１１の内部に挿入されたとき、第１の環状部材１３と第２の環状部材１４を締結することにより、椅子Ｃを床Ｆに対して固定するものである。以下、説明する。
【００１７】
まず、基礎部材１１について説明する。基礎部材１１は、フランジ部１１１と、中空の筒部１１２とを有している。基礎部材１１は、フランジ部１１１をもって床Ｆに固定される。ここでは、フランジ部１１１が床Ｆに接地する基部１１１ａと、その中央部分に盛り上がった補強部１１１ｂとから構成されている例を示している。補強部１１１ｂの有無や形状は基礎部材１１に求められる強度や材質又は意匠などを考慮して選択することができる。
【００１８】
基部１１１ａには、基礎部材１１を床Ｆに固定するための取付部材１１３を挿通させる取付穴１１４が複数個設けられている。基礎部材１１は、基部１１１ａの厚さ方向（図１の上下方向）に沿って貫設された複数の取付穴１１４に、取付部材１１３（例えば、ボルト）をそれぞれ挿通して床Ｆに螺入することにより床Ｆに固定される。取付穴１１４は、椅子Ｃの利用者が体重を背もたれにかけることを勘案して、利用者からみて後側正面に１つを設けるほか、左右対称に配置された４つを含めて計５つの取付穴１１４が設けられている。これにより、利用者の体重移動や着席離席に対し、基礎部材１１がぐらつかないようにすることができる。
【００１９】
フランジ部１１１の中央には、補強部１１１ｂから上方に向けて、中空の筒部１１２が延在している。筒部１１２は椅子Ｃの柱状支持部１２の下部を挿入して、直立させるものである。ここでは、図７に示すように、中空の筒部１１２の壁面１１２ａの外側及び内側ともに直立している例を示しているが、壁面１１２ａの内側は直立でなくてもよく、テーパ状に形成してももちろん差し支えない。その場合、柱状支持部１２の下部も対応したテーパ状として形成する。また、筒部１１２の内側壁面及び柱状支持部１２の外側壁面の少なくとも一方にそれらの密着を防ぐために筋状の凹凸を形成してもよい。なお、図７では、柱状支持部１２が補強部１１１ｂの上面に当接している例を示しているが、補強部１１１ｂに貫通させて基部１１１ａの上面に当接するようにしてもよい。
【００２０】
次に、図４を参照しつつ、第１の環状部材１３について説明する。第１の環状部材１３は、筒部１１２の上端外周に、例えば溶接によって固着されて設けられている。筒部１１２の上端面と第１の環状部材１３の上面はほぼ同じ位置に設定されている。
【００２１】
第１の環状部材１３は、その外周に、締結部材１３ａと、その反対側に突出部１３ｂを有している。締結部材１３ａは、後述する椅子Ｃの柱状支持部１２の側に設けられる第２の環状部材１４と第１の環状部材１３とを着脱可能に締結するものである。ここでは、締結部材１３ａの好適な例として、第１の環状部材１３の外周から下方に向けて垂下する垂下部１３ｃに取外し可能に設けられたパチン錠の例を示している。例えば、パチン錠は、垂下部１３ｃにネジ止めされた基板部１３ａ１と、基板部１３ａ１の上部に設けられた第１の枢軸１３ａ２に軸支された操作部１３ａ３と、第１の枢軸１３ａ２の下方に設けられた第２の枢軸１３ａ４に軸支されたフック部１３ａ５と、を備えている。締結部材１３（パチン錠）としては、これに限定される必要はなく、種々の締結部材を採用することができる。例えば、バネ要素を付加したものやトグル構成のものにしてもよい。
【００２２】
突出部１３ｂは、第１の環状部材１３の外周の締結部材１３ａとは反対側であって中央寄りの位置に、上方に向かって突出して設けられている。突出部１３ｂは、これも後述するように、椅子Ｃの柱状支持部１２の側に設けられる第２の環状部材１４と第１の環状部材１３とを位置決めして横ずれしないように係合させるものである。
【００２３】
次に、図５及び６を参照しつつ、椅子Ｃの柱状支持部１２の側に設けられた第２の環状部材１４について説明する。柱状支持部１２は椅子Ｃの座部を下方から支持する支持部材である。第２の環状部材１４は、その柱状支持部１２の下部であって、柱状支持部１２が基礎部材１１の筒部１１２に挿入されたとき、筒部１１２の上端から第１の環状部材１３の締結部材１３ａによって締結されるのに適した距離だけ離れた位置に設けられている。第２の環状部材１４は、柱状支持部１２の下部外周に、例えば溶接によって固着されて設けられている。
【００２４】
第２の環状部材１４は、その外周に、被締結部１４ａと、切欠き部１４ｂを有している。被締結部１４ａには、第１の環状部材１３の締結部材１３ａが締結される。締結部材１３ａとしてパチン錠を用いた場合、そのフック部１３ａ５が被締結部１４ａにフックされ、操作部１３ａ３を下方に押し下げることにより、フック部１３ａ５に張力が生じて被締結部１４ａが締結される。被締結部１４ａは、第２の環状部材１４の外周の円弧を直線状に切り出した箇所から凹状にやや上向きに延在している。
【００２５】
切欠き部１４ｂは、第２の環状部材１４の外周であって被締結部１４ａと反対側の位置の円弧を切り欠いて設けられており、第１の環状部材１３の突出部１３ｂが係合される。突出部１３ｂを切欠き部１４ｂに係合することにより、第２の環状部材１４と第１の環状部材１３とを位置決めして横ずれしないようにすることができる。
【００２６】
以上の構成により、第１の環状部材１３と第２の環状部材１４は、締結部材１３ａと被締結部１４ａとの締結、及び突出部１３ｂと切欠き部１４ｂとの係合により、椅子Ｃの柱状支持部１２は横ずれすることなく、確実に、基礎部材１１に固定される。
【００２７】
床Ｆに固定される基礎部材１１、椅子Ｃの座部を支持する柱状支持部１２、基礎部材１１に設けられた第１の環状部材１３、柱状支持部１２に設けられた第２の環状部材１４は、金属の成形により形成され、椅子Ｃを安定した状態で床Ｆに固定できるだけの剛性を備えていれば任意の材料（例えばステンレス鋼）を用いることができる。
【００２８】
次に、図７を参照しつつ、本実施形態の固定構造１０を用いた、椅子Ｃを床Ｆへ固定する手順について説明する。まず、基礎部材１１のフランジ部１１１の基部１１１ａに設けられた取付穴１１４に取付部材１１３を挿通させて床Ｆに螺入固定することにより、基礎部材１１を床Ｆに固定する。
【００２９】
そして、上方へ延出した状態の筒部１１２内に、柱状支持部１２の下端を挿入する。このとき、柱状支持部１２に設けられた第２の環状部材１４の被締結部１４ａを基礎部材１１の筒部１１２に設けられた第１の環状部材１３の締結部材１３ａに、同じく切欠き部１４ｂを突出部１３ｂに、それぞれ合うように位置決めする。
【００３０】
最後に、締結部材１３ａ（本実施形態ではパチン錠）のフック部１３ａ５を被締結部１４ａにフックし、操作部１３ａ３を押し下げてフック部１３ａ５に張力を与えて第２の環状部材１４を第１の環状部材１３に締結する。このようにして、柱状支持部１２は、固定構造１０を用いて床Ｆに固定される。
【００３１】
柱状支持部１２を基礎部材１１から取り外す場合は、締結部材１３ａ（本実施形態ではパチン錠）の操作部１３ａ３を引き上げてフック部１３ａ５から張力を開放し、フック部１３ａ５を被締結部１４ａから取り外して、第２の環状部材１４を第１の環状部材１３から解除する。柱状支持部１２は、従来の固定構造のように相手部材である基礎部材１１内に強く嵌入されているのではなく挿入されているだけであり、また、ネジ等による直接的な圧接が行われていないことからネジ等の食い込みもなく、締結部材１３ａを解除すればきわめて容易に引き抜くことができる。
【００３２】
このように、本実施形態では、基礎部材１１と柱状支持部１２を直接的に締結部材１３ａをもって締結せず、第１の環状部材１３と第２の環状部材１４とを介在させて着脱可能に締結することから、以下のような効果を奏することができる。
【００３３】
締結部材１３ａの締結及び解除に工具を必要とせず、人手しかも一人によって容易に行うことができる。例えば車椅子使用者のために椅子Ｃを一時的に撤去したいような場合は、締結部材１３ａを解除するだけで、椅子Ｃの座部を上方に持ち上げれば柱状支持部１２を第２の環状部材１４ごと基礎部材１１内から簡単に引き抜くことができる。柱状支持部１２を基礎部材１１から引き抜く際には、柱状支持部１２に設けられている第２の環状部材１４を手掛りにすることもできる。
【００３４】
柱状支持部１２を基礎部材１１から引き抜いた後には、第１の環状部材１３が設けられた基礎部材１１が残されるが、締結部材１３ａは第１の環状部材１３に取り付けられているため、ネジ止めによる圧接ではしばしば発生する分解した後のネジのように基礎部材１１の周辺から散逸することがない。そして、椅子Ｃが撤去された後に、車椅子を筒部１１２の上を跨ぐように進入させることかできる。車椅子利用者が移動した後には、椅子Ｃを元のように基礎部材１１の筒部１１２に挿入させ、速やかに、締結部材１３ａによって第１の環状部材１３と第２の環状部材１４を締結することができる。
【００３５】
また、椅子Ｃの座部を取り替えるような場合にも、第２の環状部材１４が設けられた柱状支持部１２と、第１の環状部材１３が設けられた基礎部材１１とを、新しい椅子Ｃの座部にもそのまま使用することができ、工事の手間とコストが軽減される。この点、椅子Ｃの座部だけではなく、柱状支持部１２ごと取り替える場合には、それに第２の環状部材１４のみを追加すればよい。
【００３６】
さらにまた、既設の基礎部材１１や柱状支持部１２であっても、それぞれに第１の環状部材１３と第２の環状部材１４を溶接等によって追加的に取り付けることが可能であり、既設の基礎部材１１や柱状支持部１２そのものの形状を加工することなく、有効に活用することもできる。
【００３７】
ここまでの説明においては、被締結部１４ａ及びそれに対応する切欠き部１４ｂが１組であることを念頭に説明してきたが、各図に示したように、被締結部１４ａ及びそれに対応する切欠き部１４ｂを複数個設けることとしてもよい。各図ではこれらを３組設けた例を示しており、隣接する被締結部１４ａ同士及び切欠き部１４ｂ同士は、１２０度の角度をもって配置されている。本実施形態においては、被締結部１４ａ及びそれに対応する切欠き部１４ｂを１組設けることによって本実施形態の効果を奏することができるが、複数個の組を設けることによって、柱状支持部１２を基礎部材１１に挿入したとき、第２の環状部材１４を第１の環状部材１３に対し位置決めするための作業効率を向上させることが可能となる。
【００３８】
例えば、被締結部１４ａ及びそれに対応する切欠き部１４ｂが１組である場合、柱状支持部１２を基礎部材１１に挿入するとき、予め第１の環状部材１３の締結部材１３ａ及び突出部１３ｂの位置を見定めつつ挿入する必要が出てくるが、被締結部１４ａ及びそれに対応する切欠き部１４ｂが３組である場合、締結部材１３ａ及び突出部１３ｂの位置をそれほど厳密に見定めずとも、第１ないし第３の被締結部１４ａ及びそれに対応する第１ないし第３の切欠き部１４ｂのいずれかを締結部材１３ａ及び突出部１３ｂに合わせることができる。
【００３９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００４０】
１０              椅子の固定構造
１１              基礎部材
１１１            フランジ部
１１１ａ          基盤部
１１１ｂ          補強部
１１２            筒部
１２              柱状支持部
１３              第１の環状部材
１３ａ            締結部材
１３ｂ            突出部
１３ｃ            垂下部
１４              第２の環状部材
１４ａ            被締結部
１４ｂ            切欠き部
Ｃ                椅子
Ｆ                床
【図１】
2016106805.tif 000003
【図２】
2016106805.tif 000004
【図３】
2016106805.tif 000005
【図４】
2016106805.tif 000006
【図５】
2016106805.tif 000007
【図６】
2016106805.tif 000008
【図７】
2016106805.tif 000009